(57)【特許請求の範囲】
【請求項１】
対向配置された大引に取り付けられる一対の床下用断熱材取付具であって、
前記大引に固定されるとともに、前記大引の側面に配される側壁部に複数のスリットが形成された固定部材と、
直線状に延びて断熱材が載置される断熱材受部と、前記断熱材受部の一端から突出するとともに前記スリットに挿入されて前記側壁部に係止されるロック端と、を有する断熱材受部材と、
を備えることを特徴とする床下用断熱材取付具。
【請求項２】
前記断熱材受部材は、断熱材が載置される載置上面と前記側壁部に当接される一方端面とのなす角が鈍角であることを特徴とする請求項１に記載の床下用断熱材取付具。
【請求項３】
前記各スリットは、第一スリット部分と、前記第一スリット部分から下方に延びて前記第一スリット部分よりも幅の狭い第二スリット部分と、を有し、
前記ロック端は、前記断熱材受部材の前記一方端面に接続されて前記第二スリット部分よりも幅が狭い基部と、前記基部に接続されて前記第一スリット部分よりも幅が狭く前記第二スリット部分よりも幅が広い係止部と、を有することを特徴とする請求項２に記載の床下用断熱材取付具。
【請求項４】
前記側壁部は、前記大引の反対側に膨出していることを特徴とする請求項１〜３の何れか一項に記載の床下用断熱材取付具。
【請求項５】
前記側壁部は、鉛直方向に沿って延びる断面凹状又は断面凸状の補強リブが形成されていることを特徴とする請求項１〜４の何れか１項に記載の床下用断熱材取付具。
【請求項６】
前記補強リブは、前記スリットの両側に配置されて、前記スリットの上方から前記スリットの下方まで延びていることを特徴とする請求項５に記載の床下用断熱材取付具。
【請求項７】
前記側壁部は、前記スリットの下部に前記大引の反対側に向けて突出する受部が形成されていることを特徴とする請求項１〜６の何れか１項に記載の床下用断熱材取付具。
【発明の詳細な説明】
【技術分野】
【０００１】
この発明は、床下に断熱材を取り付けるために使用する床下用断熱材取付具に関する。
【背景技術】
【０００２】
一般に、住宅などの建築物を施工する際、床下にグラスウールなどの断熱材を取り付けている。そして、大引の間に根太を配さない根太レス工法においては、例えば、特許文献１に記載された床下用断熱材取付具が用いられている。特許文献１に記載された床下用断熱材取付具は、対向配置された各大引に取り付ける一対のハンガー材と、この一対のハンガー材に架け渡される支持材とにより構成されている。そして、一対のハンガー材に架け渡された支持材に断熱材を載置することで、床下に断熱材を取り付けることが可能となっている。
【先行技術文献】
【特許文献】
【０００３】
【特許文献１】特開２００３−３２１９２９号公報
【発明の概要】
【発明が解決しようとする課題】
【０００４】
ところで、近年、建築物の建築地域や省エネ要求性能向上など、建築物の床断熱仕様に関して、断熱材の厚さが厚くなる傾向にある。
【０００５】
しかしながら、特許文献１に記載の床下用断熱材取付具は、一対のハンガー材における支持材を架け渡す位置が固定されているため、一定の厚さの断熱材しか取り付けることができない。このため、特許文献１に記載の床下用断熱材取付具を用いると、使用する断熱材の厚さに応じて、複数種類のハンガー材を用意しなければならないという問題があった。しかも、支持材が大引間に掛け渡されているため、大引の間隔に応じて複数種類の支持材を用意する必要があるとともに、作業者が大引間を移動する際、支持材が邪魔になるという問題もあった。
【０００６】
そこで、本発明は、異なる厚さの断熱材にも対応することができる床下用断熱材取付具を提供することを目的とする。
【課題を解決するための手段】
【０００７】
本発明に係る床下用断熱材取付具は、対向配置された大引に取り付けられる一対の床下用断熱材取付具であって、大引に固定されるとともに、大引の側面に配される側壁部に複数のスリットが形成された固定部材と、直線状に延びて断熱材が載置される断熱材受部と、断熱材受部の一端から突出するとともにスリットに挿入されて側壁部に係止されるロック端と、を有する断熱材受部材と、を備えることを特徴とする。
【０００８】
本発明に係る床下用断熱材取付具によれば、断熱材受部材のロック端を固定部材のスリットに挿入させて固定部材の側壁部に係止することで、大引に固定される固定部材に断熱材受部材を嵌合させることができる。そして、ロック端を係止するスリットの位置を変えることで、断熱材受部材の高さを変えることができるため、１種類の床下用断熱材取付具で、異なる厚さの断熱材に対応することができる。しかも、断熱材受部を大引の間隔よりも短くすることで、大引の間隔に規制されること無く床下用断熱材取付具を取り付けることができるこれにより、床下用断熱材取付具の汎用性を向上させることができる。
【０００９】
そして、断熱材受部材は、断熱材が載置される載置上面と側壁部に当接される一方端面とのなす角が鈍角であることが好ましい。このように、載置上面と一方端面とのなす角を鈍角とすることで、断熱材受部材が固定部材に支持されると載置上面が上方に向けて延びるように傾斜する。このため、断熱材の中央部を持ち上げるように断熱材を保持することができるため、グラスウールやロックウールなどの柔らかい断熱材を用いる場合であっても、断熱材の中央部が垂れるのを抑制することができる。
【００１０】
また、側壁部は、大引の反対側に膨出していることが好ましい。このように、側壁部を大引の反対側に膨出させることで、側壁部の強度を向上させることができる。しかも、側壁部と大引との間に形成される隙間に、スリットから挿入されたロック端を収容することができるため、固定部材に対する断熱材受部材の係止を適切に行うことができる。
【００１１】
そして、側壁部は、鉛直方向に沿って延びる断面凹状又は断面凸状の補強リブが形成されていることが好ましい。断熱材受部材に断熱材が載置されると、側壁部に応力が作用するが、このように、側壁部に垂直方向に沿って延びる断面凹状又は断面凸状の補強リブを形成することで、垂直方向の変形を効果的に抑制することができる。
【００１２】
この場合、補強リブは、スリットの両側に配置されて、スリットの上方からスリットの下方まで延びていることが好ましい。このように、補強リブをスリットの両側に配置することで、バランスよく垂直方向の変形を抑制することができる。
【００１３】
また、側壁部は、スリットの下部に大引の反対側に向けて突出する受部が形成されていることが好ましい。このように、スリットの下部に受部を形成することで、断熱材受部材を受部に載置することができるため、断熱材受部材をより確実に支持することができる。
【００１４】
そして、各スリットは、第一スリット部分と、第一スリット部分から下方に延びて第一スリット部分よりも幅の狭い第二スリット部分と、を有し、ロック端は、断熱材受部材の一方端面に接続されて第二スリット部分よりも幅が狭い基部と、基部に接続されて第一スリット部分よりも幅が狭く第二スリット部分よりも幅が広い係止部と、を有することとしてもよい。このように構成することで、第一スリット部分から係止部を挿入して断熱材受部材を下降させると、第二スリット部分に基部がはめ込まれるため、ロック端がスリットから抜けなくなる。これにより、側壁部に対するロック端の係止をより確実に行うことができる。
【発明の効果】
【００１５】
本発明によれば、本体枠の垂れ下がりを防止することができる。
【図面の簡単な説明】
【００１６】
【図１】本実施形態に係る床下用断熱材取付具を用いて断熱材が施工された床下構造を示した図である。
【図２】床下用断熱材取付具の施工例を示す斜視図である。
【図３】ステップ金具を示した図であり、（ａ）は、ステップ金具を外側から見た斜視図、（ｂ）は、ステップ金具を内側から見た斜視図、（ｃ）は、ステップ金具の正面図、（ｄ）は、ステップ金具の左側面図を示している。
【図４】かまぼこ型のスリットが形成されたステップ金具の斜視図である。
【図５】断熱材受バーを示した図であり、（ａ）は、断熱材受バーの斜視図、（ｂ）は、断熱材受バーの正面図、（ｃ）は、断熱材受バーの平面図を示している。
【図６】バー部の形状を説明するための図である。
【図７】ステップ金具と断熱材受バーとの接続構造を示す縦断面図である。
【図８】大引にステップ金具を固定する方法を説明するための図である。
【図９】ステップ金具に断熱材受バーを係止する方法を説明するための図である。
【図１０】第２の実施形態に係る断熱材受バーを示した図であり、（ａ）は、側面図、（ｂ）は、平面図を示している。
【図１１】ステップ金具と断熱材受バーとの接続構造を示す縦断面図である。
【図１２】第３の実施形態に係るステップ金具を示した図であり、（ａ）は、ステップ金具を外側から見た斜視図、（ｂ）は、ステップ金具を内側から見た斜視図、（ｃ）は、ステップ金具の正面図、（ｄ）は、ステップ金具の左側面図を示している。
【図１３】かまぼこ状のスリットが形成されたステップ金具を示す斜視図である。
【図１４】ステップ金具と断熱材受バーとの嵌合構造を示す図である。
【図１５】第４の実施形態に係るステップ金具を示した図であり、（ａ）は、ステップ金具を外側から見た斜視図、（ｂ）は、ステップ金具を内側から見た斜視図、（ｃ）は、ステップ金具の正面図、（ｄ）は、ステップ金具の左側面図を示している。
【図１６】図１５（ａ）に示すＸＶＩ−ＸＶＩ線断面図である。
【図１７】補強リブが形成されるステップ金具の一例を示しており、（ａ）は、スリットの下部に折り返し部が設けられたステップ金具の斜視図、（ｂ）は、かまぼこ型のスリットの下部に折り返し部が設けられたステップ金具の斜視図である。
【図１８】第５の実施形態に係るステップ金具を示した図であり、（ａ）は、ステップ金具を外側から見た斜視図、（ｂ）は、ステップ金具を内側から見た斜視図、（ｃ）は、ステップ金具の正面図、（ｄ）は、ステップ金具の左側面図を示している。
【図１９】断熱材受バーを示した図であり、（ａ）は、断熱材受バーの斜視図、（ｂ）は、断熱材受バーの側面図、（ｃ）は、断熱材受バーの平面図である。
【図２０】ステップ金具と断熱材受バーとの嵌合構造を示す縦断面図である。
【図２１】ステップ金具と断熱材受バーとの嵌合構造を示す横断面図である。
【図２２】大引にステップ金具を固定する方法を説明するための図である。
【図２３】ロック端をスリットに嵌め込む順序を説明するための図である。
【図２４】ステップ金具に断熱材受バーを係止した状態を示す図である。
【図２５】ステップ金具の一例を示しており、（ａ）は、Ｔ字状のスリットの下部に折り返し部が設けられたステップ金具の斜視図、（ｂ）は、Ｔ字状のスリットの両側に補強リブが形成されたステップ金具の斜視図、（ｃ）は、上底が長く下底が短い台形状のスリットが形成されたステップ金具の斜視図である。
【図２６】Ｊ字状のロック端を備えた断熱材受バーを示した図であり、（ａ）は、断熱材受バーの正面図、（ｂ）は、断熱材受バーの側面図である。
【図２７】逆Ｌ字状のロック端を備えた断熱材受バーを示した図であり、（ａ）は、断熱材受バーの正面図、（ｂ）は、断熱材受バーの側面図である。
【図２８】Ｌ字状のロック端を備えた断熱材受バーを示した図であり、（ａ）は、断熱材受バーの正面図、（ｂ）は、断熱材受バーの側面図である。
【図２９】変形Ｗ字状のロック端を備えた断熱材受バーを示した図であり、（ａ）は、断熱材受バーの正面図、（ｂ）は、断熱材受バーの側面図である。
【図３０】第６の実施形態に係る断熱材受バーを示した図であり、（ａ）は、断熱材受バーの斜視図、（ｂ）は、断熱材受バーの側面図、（ｃ）は、断熱材受バーの平面図を示している。
【図３１】ステップ金具と断熱材受バーとの嵌合構造を示す斜視図である。
【図３２】Ｊ字状のロック端を備えた断熱材受バーを示した図であり、（ａ）は、断熱材受バーの正面図、（ｂ）は、断熱材受バーの側面図である。
【図３３】逆Ｌ字状のロック端を備えた断熱材受バーを示した図であり、（ａ）は、断熱材受バーの正面図、（ｂ）は、断熱材受バーの側面図である。
【図３４】Ｌ字状のロック端を備えた断熱材受バーを示した図であり、（ａ）は、断熱材受バーの正面図、（ｂ）は、断熱材受バーの側面図である。
【図３５】変形Ｗ字状のロック端を備えた断熱材受バーを示した図であり、（ａ）は、断熱材受バーの正面図、（ｂ）は、断熱材受バーの側面図である。
【発明を実施するための形態】
【００１７】
以下、図面を参照して、本発明に係る床下用断熱材取付具の好適な実施形態について詳細に説明する。本実施形態は、根太レス工法において、グラスウールやロックウールなどの板状の床断熱用断熱材を大引間に取り付けるための床下用断熱材取付具である。そして、この床下用断熱材取付具は、断熱材の柔らかさに起因する中央部分のたわみを抑制するために、断熱材の下方から支持するように施工するものである。なお、全図中、同一または相当部分には同一符号を付し、重複する説明を省略する。
【００１８】
［第１実施形態］
図１は、本実施形態に係る床下用断熱材取付具を用いて断熱材が施工された床下構造を示した図である。図２は、床下用断熱材取付具の施工例を示す斜視図である。図１及び図２に示すように、本実施形態に係る床下用断熱材取付具１が用いられる床下構造は、コンクリートの基礎２に複数本の大引３が載置固定され、各大引３に透湿気密フィルム４及び床板５が載置固定される。そして、対向配置される大引３に、一対のステップ金具（固定部材）１０と一対の断熱材受バー（断熱材受部材）２０とで構成される床下用断熱材取付具１に取り付けられ、この床下用断熱材取付具１に断熱材が取り付けられる。これにより、断熱材６が、透湿気密フィルム４及び床板５の下であって対向配置される大引３間に配置される。
【００１９】
図３は、ステップ金具を示した図であり、図３（ａ）は、ステップ金具を外側から見た斜視図、図３（ｂ）は、ステップ金具を内側から見た斜視図、図３（ｃ）は、ステップ金具の正面図、図３（ｄ）は、ステップ金具の左側面図を示している。図３に示すように、ステップ金具１０は、金属製の平板が直角に屈曲された断面略Ｌ字状に形成されており、大引３の上面に固定される平板状の上壁部１１と、大引３の側面に配される平板状の側壁部１２と、により構成される。なお、本実施形態では、上壁部１１と側壁部１２とが谷状に屈曲されて大引３に当接される方をステップ金具１０の内側、上壁部１１と側壁部１２とが山状に屈曲される方をステップ金具１０の外側とする。
【００２０】
上壁部１１は、一端が側壁部１２と接続されて、側壁部１２に対して略直角方向に延びる矩形状に形成されている。上壁部１１の中央部には、大引３の上面に打ち込まれる一対の爪部１３が形成されている。各爪部１３は、先端が尖がった略三角形に形成されており、上壁部１１の内側から上壁部１１に対して略垂直な方向に突出している。各爪部１３は、上壁部１１の中央部に山状の切込みをいれ、この切込みを内側に折り曲げることで形成される。なお、本実施形態では、爪部１３を２つ設けるものとして説明するが、１つであってもよく、３つ以上であってもよい。
【００２１】
このように構成される上壁部１１は、大引３の大きさや、施工する断熱材の重量により任意の寸法とすることができる。例えば、上壁部１１の幅ａは、２０ｍｍ〜１００ｍｍ程度が好ましく、３０ｍｍ〜６０ｍｍ程度が更に好ましい。また、上壁部１１の長さｂは、例えば、３０ｍｍ〜６０ｍｍ程度が好ましく、３０ｍｍ〜４０ｍｍ程度が更に好ましい。
【００２２】
側壁部１２は、一端が上壁部１１に接続されて、上壁部１１に対して略直角方向に延びる長尺の矩形状に形成されている。側壁部１２の幅は、上壁部１１の幅ａと同寸法となっている。側壁部１２の長さｃは、大引３の側面の高さと同じ、又は大引３の側面の高さよりも短い寸法となっており、例えば、５０ｍｍ〜１５０ｍｍ程度が好ましく、１００ｍｍ〜１２０ｍｍ程度が更に好ましい。
【００２３】
この側壁部１２には、複数のスリット１５が形成されている。各スリット１５は、後述する断熱材受バー２０のロック端２２が挿入されて断熱材受バー２０を係止するための貫通孔である。各スリット１５は、略矩形に形成されており、スリット１５の高さｄは、例えば、１ｍｍ〜３ｍｍ程度が好ましく、スリット１５の幅ｅは、例えば、８ｍｍ〜５０ｍｍ程度が好ましい。なお、各スリット１５は、断熱材受バー２０のロック端２２が挿入されて断熱材受バー２０を係止することができる形状であれば如何なる形状であってもよく、例えば、図４に示すステップ金具１０ａのように、上辺が湾曲したかまぼこ状のスリットが形成されてもよい。
【００２４】
これらのスリット１５は、延在方向において異なる位置に形成されており、スリット１５の数および各スリット１５の位置は、施工する断熱材６の厚さに応じて適宜設定される。図３に示すように３つのスリットが形成される場合は、例えば、上壁部１１から見て一番目のスリット１５を上壁部１１から３５ｍｍ下方の位置に形成し、二番目のスリット１５を上壁部１１から４５ｍｍ下方の位置に形成し、三番目のスリット１５を上壁部１１から８０ｍｍ下方の位置に形成する。なお、本実施形態では、よく使用される断熱材６の厚さが３５ｍｍ、４５ｍｍ、８０ｍｍであるため、側壁部１２に３つのスリット１５を形成するとともに、各スリット１５の位置を上壁部１１から３５ｍｍ、４５ｍｍ、８０ｍｍ下方の位置とするものとして説明したが、これに限定されるものではなく、任意の数のスリット１５を任意の位置に形成することができる。
【００２５】
また、側壁部１２には、外側に膨出した膨出部１４が形成されている。膨出部１４は、全てのスリット１５を含むように、側壁部１２の延在方向に沿って延びる縦長の形状に形成されている。この膨出部１４は、側壁部１２を外側に向けて１ｍｍ〜５ｍｍ程度押し出し加工することにより形成されている。そして、側壁部１２の内側は、膨出部１４によりスリット１５の周辺が窪んでいる。
【００２６】
このように構成されるステップ金具１０は、側壁部１２を大引３の側面に沿って配しながら、上壁部１１の爪部１３を大引３の上面に打ち込むことで、ステップ金具１０を大引３に固定することができる。
【００２７】
図５は、断熱材受バーを示した図であり、図５（ａ）は、断熱材受バーの斜視図、図５（ｂ）は、断熱材受バーの正面図、図５（ｃ）は、断熱材受バーの平面図を示している。図５に示すように、断熱材受バー２０は、直線状に延びて断熱材６が載置されるバー部２１と、バー部２１の一端から突出してステップ金具１０に係止されるロック端２２と、により構成される。
【００２８】
バー部２１は、金属製の平板がコ字状に屈曲されて、下方に開放された断面コ字状に形成されている。バー部２１の長さｆは、大引３の間隔の半分未満とし、断熱材６を載置で着る範囲で、短く形成することが好ましい。通常、大引３の間隔は、９１０ｍｍであるため、バー部２１の長さｆは、例えば、１００ｍｍ〜３００ｍｍ程度とするのが好ましく、２００ｍｍ〜２５０ｍｍ程度とするのが更に好ましい。
【００２９】
そして、バー部２１は、断熱材６が載置されるバー部２１の載置上面２１ａと、ステップ金具１０に係止された際にステップ金具１０の外側に当接される一方端面２１ｂとのなす角αが、鈍角となっている。なお、載置上面２１ａと一方端面２１ｂとのなす角αは、バー部２１の内角を示している。そして、この載置上面２１ａと一方端面２１ｂとのなす角αは、例えば、９２°〜９５°程度とするのが好ましい。なお、本実施形態では、バー部２１の延在方向に垂直な方向に対して一方端面２１ｂを２°〜５°程度傾斜させることで載置上面２１ａと一方端面２１ｂとのなす角αを９２°〜９５°程度としているが、バー部２１の延在方向に対して載置上面２１ａを２°〜５°程度傾斜させることで載置上面２１ａと一方端面２１ｂとのなす角αを９２°〜９５°程度としてもよい。
【００３０】
なお、断熱材受バー２０がステップ金具１０に係止されると、バー部２１の一方端面２１ｂ付近に大きな荷重が作用するとともに、バー部２１とロック端２２との連接部にかかる荷重がバー部２１の高さｇに反比例する。そこで、図６に示すように、一方端面２１ｂ付近のバー部２１の高さｇ１を、通常のバー部２１の高さｇ２よりも高くすることが好ましい。
【００３１】
ロック端２２は、バー部２１の載置上面２１ａから延びるように一方端面２１ｂから突出しており、ステップ金具１０のスリット１５に挿入されてステップ金具１０の内側に係止されるものである。ロック端２２は、断面略Ｌ字状に形成されており、バー部２１に連接される基部２２ａと、基部２２ａの先端に連接される係止部２２ｂと、により構成される。
【００３２】
基部２２ａは、バー部２１の延在方向に延びる平板状に形成されており、スリット１５に挿入されてスリット１５の底面に載置される部位である。このため、基部２２ａの幅ｈは、スリット１５の幅ｅよりも僅かに狭い寸法となっており、基部２２ａの長さｉは、ステップ金具１０の板厚と同じ長さ、又は、ステップ金具１０の板厚よりも僅かに長い寸法となっている。
【００３３】
係止部２２ｂは、基部２２ａの先端からバー部２１の延在方向に略垂直な方向に延びる平板状に形成されており、スリット１５に挿入されてステップ金具１０の内側に係止される部位である。このため、係止部２２ｂの幅は、基部２２ａの幅ｈと同じ寸法となっており、係止部２２ｂの高さ（長さ）ｊは、スリット１５の高さｄよりも高い寸法となっている。
【００３４】
次に、図７を参照して、ステップ金具１０と断熱材受バー２０の嵌合構造について説明する。
【００３５】
図７は、ステップ金具と断熱材受バーとの嵌合構造を示す縦断面図である。図７に示すように、ステップ金具１０のスリット１５から挿入されたロック端２２がステップ金具１０の内側に係止されることで、断熱材受バー２０がステップ金具１０に嵌合する。このとき、ロック端２２は、大引３と膨出部１４との間に形成される隙間に収容された状態となる。そして、ロック端２２の基部２２ａがスリット１５の底面に載置されるとともに、バー部２１の自重により、バー部２１の一方端面２１ｂがスリット１５の下方においてステップ金具１０の外側に押し当てられた状態となる。このとき、バー部２１の載置上面２１ａと一方端面２１ｂとのなす角αが鈍角であるため、バー部２１の載置上面２１ａが上方に向けて傾斜するように、断熱材受バー２０がステップ金具１０に支持された状態となる。
【００３６】
このように、ロック端２２の係止部２２ｂがスリット１５の上方においてステップ金具１０の内側に係止されるとともに、バー部２１の一方端面２１ｂがスリット１５の下方においてステップ金具１０の外側に押し当てられることで、断熱材受バー２０がステップ金具１０から脱落するのを防止して、バー部２１の載置上面２１ａに受ける上方からの荷重を支えることができる。
【００３７】
次に、図８及び図９を参照して、床下用断熱材取付具１を用いた断熱材６の取り付け方法について説明する。図８は、大引にステップ金具を固定する方法を説明するための図である。図９は、ステップ金具に断熱材受バーを嵌合する方法を説明するための図である。
【００３８】
まず、図８（ａ）に示すように、ステップ金具１０の側壁部１２を大引３の側面に沿わせながらステップ金具１０を下降させる。そして、図８（ｂ）に示すように、ステップ金具１０の上壁部１１が大引３の上面に当接すると、ハンマーなどを用いて、上壁部１１の爪部１３を大引３の上面に打ち込む。これにより、側壁部１２が大引３の側面に当接された状態で、ステップ金具１０が大引３に固定される。
【００３９】
次に、図９（ａ）に示すように、後工程で取り付ける断熱材６の厚さに応じて断熱材受バー２０を嵌合させるスリット１５を選択する。そして、図９（ｂ）に示すように、断熱材受バー２０を傾けて、選択したスリット１５にロック端２２を挿入する。このとき、スリット１５は、ステップ金具１０の膨出部１４に形成されているため、スリット１５を貫通したロック端２２は、膨出部１４と大引３との間の隙間に収容される。そして、ロック端２２がスリット１５に貫通された状態で、バー部２１の自由端側を下方に回動させると、図９（ｃ）に示すように、ロック端２２の基部２２ａがスリット１５の底面に載置され、ロック端２２の係止部２２ｂがスリット１５の上方においてステップ金具１０の内側に係止され、バー部２１の一方端面２１ｂがスリット１５の下方においてステップ金具１０の外側に押し当てられる。これにより、断熱材受バー２０がステップ金具１０に嵌合され、大引３に対する床下用断熱材取付具１の取り付けが完了する。
【００４０】
そして、対向配置された一対の大引３に床下用断熱材取付具１を取り付けると（図２参照）、各床下用断熱材取付具１の断熱材受バー２０に断熱材６を載置する（図１参照）。これにより、大引３の間に断熱材６が配置される。その後、大引３の上に透湿気密フィルム４及び床板５を載置固定することで、床下に断熱材６が取り付けられた床下構造が完成する。
【００４１】
このように、第１の実施形態によれば、ロック端２２をスリット１５に挿入してステップ金具１０の内側に係止することで、大引３に固定されるステップ金具１０に断熱材受バー２０を嵌合させることができる。そして、ロック端を係止するスリットの位置を変えることで、断熱材受バー２０の高さを変えることができるため、１種類の床下用断熱材取付具１で、異なる厚さの断熱材６に対応することができる。しかも、バー部２１を大引３の間隔よりも短くすることで、大引３の間隔に規制されること無く床下用断熱材取付具１を取り付けることができる。これにより、床下用断熱材取付具１の汎用性を向上させることができる。
【００４２】
更に、バー部２１の長さｆを、隣接する大引３の間隔の半分未満とすることで、床下用断熱材取付具１を取り付けた後も大引３の間に通路が残るため、作業者の移動効率が低下するのを抑制することができる。
【００４３】
また、バー部２１の載置上面２１ａと一方端面２１ｂとのなす角αを鈍角とすることで、断熱材受バー２０がステップ金具１０に支持されると、バー部２１の載置上面２１ａが上方に向けて延びるように傾斜する。このため、グラスウールやロックウールなどの柔らかい断熱材６を用いる場合であっても、断熱材６の中央部が垂れるのを抑制することができる。
【００４４】
また、側壁部１２に膨出部１４を形成することで、側壁部１２の強度を向上させることができる。しかも、側壁部１２と大引３との間に形成される隙間に、スリット１５から挿入されたロック端２２を収容することができるため、ステップ金具１０に対する断熱材受バー２０の係止を適切に行うことができる。
【００４５】
［第２実施形態］
次に、第２の実施形態に係る床下用断熱材取付具について説明する。第２の実施形態は、基本的に第１の実施形態と同様であり、ロック端の形状のみ第１の実施形態と相違する。このため、以下では、第１の実施形態と相違する点のみ説明し、第１の実施形態と同じ点の説明を省略する。
【００４６】
図１０は、第２の実施形態に係る断熱材受バーを示した図であり、（ａ）は、側面図、（ｂ）は、平面図を示している。図１０に示すように、断熱材受バー３０のロック端３２は、バー部２１の載置上面２１ａから延びるように一方端面２１ｂから突出しており、ステップ金具１０のスリット１５に挿入されてステップ金具１０の内側に係止されるものである。ロック端３２は、断面変形Ｗ字状に形成されており、バー部２１に連接される基部３２ａと、基部３２ａの先端に連接される係止部３２ｂと、により構成される。
【００４７】
基部３２ａは、スリット１５に挿入されてスリット１５の底面に載置される部位である。基部３２ａは、バー部２１の一方端面２１ｂから突出されるとともに、バー部２１の載置上面２１ａからバー部２１の延在方向に向けて山形に湾曲されている。このため、基部３２ａは、スリット１５の底面を跨ぐように載置される。
【００４８】
係止部３２ｂは、バー部２１の延在方向に略垂直な方向に延びる平板状に形成されている。そして、係止部３２ｂは、基部３２ａの先端からバー部２１に戻る方向に傾斜して、断熱材受バー３０がステップ金具１０に係止された際に係止部３２ｂの先端がステップ金具１０の内側に確実に当接するようになっている。
【００４９】
次に、図１１を参照して、ステップ金具１０と断熱材受バー３０の嵌合構造について説明する。
【００５０】
図１１は、ステップ金具と断熱材受バーとの嵌合構造を示す縦断面図である。図１１に示すように、ステップ金具１０のスリット１５から挿入されたロック端３２がステップ金具１０の内側に係止されることで、断熱材受バー３０がステップ金具１０に嵌合する。なお、ロック端３２は、大引３と膨出部１４との間に形成される隙間に収容された状態となる。
【００５１】
このとき、ロック端３２の基部３２ａは山形に湾曲しているため、この基部３２ａがスリット１５の底面を跨ぐように載置される。これにより、ステップ金具１０から断熱材受バー３０が脱落するのを防止しつつ、ステップ金具１０に断熱材受バー３０が載置される。
【００５２】
そして、バー部２１の自重により、バー部２１の一方端面２１ｂがスリット１５の下方においてステップ金具１０の外側に押し当てられた状態となる。このとき、バー部２１の載置上面２１ａと一方端面２１ｂとのなす角αが鈍角であるため、バー部２１の載置上面２１ａが上方に向けて傾斜するように、断熱材受バー３０がステップ金具１０に支持された状態となる。
【００５３】
このように、第２の実施形態によれば、ロック端３２を断面変形Ｗ字状とし、その基部３２ａを山形に湾曲させることで、ステップ金具１０から断熱材受バー３０が脱落するのをより確実に防止することができる。
【００５４】
［第３実施形態］
次に、第３の実施形態に係る床下用断熱材取付具について説明する。第３の実施形態は、基本的に第１の実施形態と同様であり、ステップ金具に折り返し部が設けられている点のみ第１の実施形態と相違する。このため、以下では、第１の実施形態と相違する点のみ説明し、第１の実施形態と同じ点の説明を省略する。
【００５５】
図１２は、第３の実施形態に係るステップ金具を示した図であり、図１２（ａ）は、ステップ金具を外側から見た斜視図、図１２（ｂ）は、ステップ金具を内側から見た斜視図、図１２（ｃ）は、ステップ金具の正面図、図１２（ｄ）は、ステップ金具の左側面図を示している。図１２に示すように、ステップ金具４０には、スリット１５の下部に折り返し部４１が設けられている。
【００５６】
折り返し部４１は、断熱材受バー２０を保持して断熱材受バー２０の強度を補強するものである。折り返し部４１は、スリット１５の下部に設けられており、ステップ金具４０の外側に向けて突出する舌片状に形成されている。なお、この折り返し部４１は、スリット１５を形成する際に、下辺を残して左右の側辺と上辺とをコ字状に切断し、この切断した内側をステップ金具４０の外側に折り返すことで、スリット１５と併せて形成することができる。このため、折り返し部４１の長さは、スリット１５の高さｄよりも短くなる。そして、バー部２１の載置上面２１ａの傾きと折り返し部４１の傾きとが略同じになるように、側壁部１２に対する折り返し部４１の折り返し角度βは、例えば、８５°〜８８°程度が好ましい。すなわち、折り返し部４１の上方から見た場合に、側壁部１２（膨出部１４）に対して折り返し部４１が８５°〜８８°傾斜し、折り返し部４１の下方から見た場合に、側壁部１２（膨出部１４）に対して折り返し部４１が９２°〜９５°傾斜する。これにより、折り返し部４１は、バー部２１の載置上面２１ａと同様に、上方に向けて延びるように傾斜する。なお、各スリット１５は、第１の実施形態と同様に、断熱材受バー２０のロック端２２が挿入されて断熱材受バー２０を係止することができる形状であれば如何なる形状であってもよく、例えば、図１３に示すステップ金具４０ａのように、上辺が湾曲したかまぼこ状のスリットが形成されてもよい。
【００５７】
次に、ステップ金具４０と断熱材受バー２０の嵌合構造について説明する。
【００５８】
図１４は、ステップ金具と断熱材受バーとの嵌合構造を示す図である。図１４に示すように、ステップ金具４０のスリット１５から挿入されたロック端２２がステップ金具４０の内側に係止されることで、断熱材受バー２０がステップ金具４０に嵌合する。なお、ロック端３２は、大引３と膨出部１４との間に形成される隙間に収容された状態となる。
【００５９】
このとき、断熱材受バー２０は、ロック端２２の基部２２ａがスリット１５の底面に載置されるとともに、バー部２１が折り返し部４１に載置される。これにより、断熱材受バー２０が載置される面積が増えるため、断熱材受バー３０がより安定してステップ金具４０に載置され、バー部２１の強度が補強される。しかも、折り返し部４１が側壁部１２に対して８５°〜８８°に傾斜しているため、バー部２１を下から支持してバー部２１の自由端側が下降するのを抑制することができる。
【００６０】
そして、バー部２１の自重により、バー部２１の一方端面２１ｂがスリット１５の下方においてステップ金具４０の外側に押し当てられた状態となる。このとき、バー部２１の載置上面２１ａと一方端面２１ｂとのなす角αが鈍角であるため、バー部２１の載置上面２１ａが上方に向けて傾斜するように、断熱材受バー３０がステップ金具４０に支持された状態となる。
【００６１】
このように、第３の実施形態によれば、ステップ金具４０に折り返し部を設けることで、断熱材受バー３０をより安定してステップ金具４０に載置することができ、バー部２１の強度を補強することができる。しかも、折り返し部４１を側壁部１２に対して８５°〜８８°傾斜させることで、バー部２１の自由端側が下降するのを抑制することができる。
【００６２】
［第４実施形態］
次に、第４の実施形態に係る床下用断熱材取付具について説明する。第４の実施形態は、基本的に第１の実施形態と同様であり、ステップ金具に補強リブが形成されている点のみ第１の実施形態と相違する。このため、以下では、第１の実施形態と相違する点のみ説明し、第１の実施形態と同じ点の説明を省略する。
【００６３】
図１５は、第４の実施形態に係るステップ金具を示した図であり、図１５（ａ）は、ステップ金具を外側から見た斜視図、図１５（ｂ）は、ステップ金具を内側から見た斜視図、図１５（ｃ）は、ステップ金具の正面図、図１５（ｄ）は、ステップ金具の左側面図を示している。図１６は、図１５（ａ）に示すＸＶＩ−ＸＶＩ線断面図である。
【００６４】
図１５に示すように、ステップ金具５０に形成される一対の補強リブ５１は、ステップ金具５０の側壁部１２を補強するものであり、スリット１５の両側に配置されている。具体的には、膨出部１４のエッジから幅方向内側に１ｍｍ〜２ｍｍ程度の位置に形成されている。そして、この一対の補強リブ５１は、一番上のスリット１５の上方から一番下のスリット１５の下方まで垂直方向に直線状に延びている。
【００６５】
図１６に示すように、各補強リブ５１は、膨出部１４を溝状に屈曲させて形成されており、ステップ金具５０の外側から内側に向けて溝状に凹んだ形状となっている。
【００６６】
なお、補強リブ５１は、側壁部１２（膨出部１４）に形成されて側壁部１２の強度を向上させることができれば、如何なる形状のステップ金具に形成されてもよく、例えば、図１７（ａ）に示すステップ金具６０ａのように、スリットの下部に折り返し部が設けられたステップ金具や、図１７（ｂ）に示すステップ金具６０ｂのように、かまぼこ型のスリットの下部に折り返し部が設けられたステップ金具などに、補強リブ５１が形成されてもよい。
【００６７】
このように、第４の実施形態によれば、側壁部１２に補強リブ５１を形成することで、垂直方向の変形を効果的に抑制することができ、しかも、補強リブ５１をスリット１５の両側に配置することで、バランスよく垂直方向の変形を抑制することができる。
【００６８】
［第５実施形態］
次に、第５の実施形態に係る床下用断熱材取付具について説明する。第５の実施形態は、基本的に第１の実施形態と同様であり、スリットの形状と、ロック端の形状とのみ第１の実施形態と相違する。このため、以下では、第１の実施形態と相違する点のみ説明し、第１の実施形態と同じ点の説明を省略する。
【００６９】
図１８は、第５の実施形態に係るステップ金具を示した図であり、図１８（ａ）は、ステップ金具を外側から見た斜視図、図１８（ｂ）は、ステップ金具を内側から見た斜視図、図１８（ｃ）は、ステップ金具の正面図、図１８（ｄ）は、ステップ金具の左側面図を示している。
【００７０】
図１８に示すように、ステップ金具６０の各スリット６１は、Ｔ字型に形成されており、ステップ金具６０の幅方向に延びる矩形の第一スリット部分６１ａと、この第一スリット部分６１ａの中央部から下方に延びて第一スリット部分６１ａよりも幅の狭い矩形の第二スリット部分６１ｂとにより構成されている。なお、第一スリット部分６１ａの幅をｋとし、第二スリット部分６１ｂの幅をｌとする。この場合、ｋ＞ｌとなる。
【００７１】
図１９は、断熱材受バーを示した図であり、図１９（ａ）は、断熱材受バーの斜視図、図１９（ｂ）は、断熱材受バーの側面図、図１９（ｃ）は、断熱材受バーの平面図を示している。
【００７２】
図１９に示すように、断熱材受バー７０のロック端７１は、バー部２１の載置上面２１ａから延びるように一方端面２１ｂから突出されており、バー部２１より幅が狭くなって一部が切り欠かれた形状に形成されている。このロック端７１は、逆Ｊ字状に湾曲して形成されており、バー部２１に連接される基部７１ａと、基部７１ａの先端に連接される係止部７１ｂと、により構成される。
【００７３】
基部７１ａは、バー部２１の延在方向に延びる平板状に形成されており、第一スリット部分６１ａに挿入されるとともに、第二スリット部分６１ｂに嵌め込まれて第二スリット部分６１ｂの底面に載置される部位である。基部７１ａは、ロック端７１の両端を切り欠かれて形成されており、基部７１ａの幅ｍは、バー部２１の載置上面の幅よりも狭い寸法となっている。また、基部７１ａの幅ｍは、第二スリット部分６１ｂの幅ｌ（図１８参照））よりも僅かに狭い寸法となっており、基部７１ａの長さｎは、ステップ金具６０の板厚と同じ長さ、又は、ステップ金具６０の板厚よりも僅かに長い寸法となっている。
【００７４】
係止部７１ｂは、基部７１ａの先端からバー部２１の延在方向に略垂直な方向に延びて逆Ｊ字状に湾曲しており、第一スリット部分６１ａに貫通されるとともに、基部７１ａが第二スリット部分６１ｂに嵌め込まれた際に、ステップ金具６０の内側に係止される部位である。係止部７１ｂは、切り欠かれなかったロック端７１の残りの部位であり、係止部７１ｂの幅ｏは、載置上面の幅よりも狭く基部７１ａの幅ｍよりも広い寸法となっている。また、係止部７１ｂの幅ｏは、第一スリット部分６１ａの幅ｋよりも狭く、第二スリット部分６１ｂの幅ｌよりも広い寸法となっている。
【００７５】
次に、図２０及び図２１を参照して、ステップ金具６０と断熱材受バー７０の嵌合構造について説明する。
【００７６】
図２０は、ステップ金具と断熱材受バーとの嵌合構造を示す縦断面図である。図２１は、ステップ金具と断熱材受バーとの嵌合構造を示す横断面図である。図２０及び図２１に示すように、ロック端７１の係止部７１ｂは、ステップ金具６０の第一スリット部分６１ａから貫通されており、ロック端７１の基部７１ａは、ステップ金具６０の第二スリット部分６１ｂに嵌め込まれている。これにより、係止部７１ｂは、第二スリット部分６１ｂの両側面においてステップ金具６０の内側に係止されて、断熱材受バー７０がステップ金具６０に嵌合する。
【００７７】
そして、ロック端７１の基部７１ａが第二スリット部分６１ｂの底面に載置されるとともに、バー部２１の自重により、バー部２１の一方端面２１ｂが第二スリット部分６１ｂの下方においてステップ金具６０の外側に押し当てられた状態となる。このとき、バー部２１の載置上面２１ａと一方端面２１ｂとのなす角αが鈍角であるため、バー部２１の載置上面２１ａが上方に向けて傾斜するように、断熱材受バー７０がステップ金具６０に支持された状態となる。
【００７８】
次に、図２２〜図２４を参照して、床下用断熱材取付具の取り付け方法について説明する。図２２は、大引にステップ金具を固定する方法を説明するための図である。図２３は、ロック端をスリットに嵌め込む順序を説明するための図である。図２４は、ステップ金具に断熱材受バーを係止した状態を示す図である。
【００７９】
まず、図２２（ａ）に示すように、ステップ金具６０の側壁部１２を大引３の側面に沿わせながらステップ金具６０を下降させる。そして、図２２（ｂ）に示すように、ステップ金具６０の上壁部１１が大引３の上面に当接すると、ハンマーなどを用いて、上壁部１１の爪部１３を大引３の上面に打ち込む。これにより、側壁部１２が大引３の側面に当接された状態で、ステップ金具６０が大引３に固定される。
【００８０】
次に、図２３に示すように、ロック端７１の係止部７１ｂを第一スリット部分６１ａから挿入し、基部７１ａが完全に第一スリット部分６１ａに貫通されると、断熱材受バー７０を下降させて基部７１ａを第二スリット部分６１ｂに嵌め込む。すると、係止部７１ｂの幅ｏは第二スリット部分６１ｂの幅ｌよりも広いため、図２４に示すように、係止部７１ｂが第二スリット部分６１ｂの両側方においてステップ金具６０に係止される。
【００８１】
そして、基部７１ａが第二スリット部分６１ｂの底面に当接するまで断熱材受バー７０を下降させると、基部２２ａが第二スリット部分６１ｂの底面に載置され、更に、バー部２１の一方端面２１ｂが第二スリット部分６１ｂの下方においてステップ金具６０の外側に押し当てられる。これにより、断熱材受バー７０がステップ金具６０に嵌合され、大引３に対する床下用断熱材取付具の取り付けが完了する。
【００８２】
このように、第５の実施形態によれば、第一スリット部分６１ａから係止部７１ｂを挿入して断熱材受バー７０を下降させると、第二スリット部分６１ｂに基部７１ａがはめ込まれるため、ロック端７１がスリット６１から抜けなくなる。これにより、側壁部１２に対するロック端７１の係止をより確実に行うことができる。
【００８３】
なお、ステップ金具６０は、係止部７１ｂよりも幅の広い第一スリット部分と、基部７１ａが嵌め込まれて係止部７１ｂよりも幅の狭い第二スリット部分とを有するスリットが形成されていれば如何なる形状であってもよく、例えば、図２５（ａ）に示すステップ金具６０ａのように、Ｔ字状のスリットの下部に折り返し部が設けられてもよく、図２５（ｂ）に示すステップ金具６０ｂのように、Ｔ字状のスリットの両側に補強リブが形成されてもよく、図２５（ｃ）に示すステップ金具６０ｃのように、上底が長く下底が短い台形状のスリットが形成されてもよい。
【００８４】
また、断熱材受バー７０のロック端は、第二スリット部分６１ｂよりも幅の狭い基部と、第一スリット部分６１ａよりも幅が狭く第二スリット部分６１ｂよりも幅の広い係止部とを備えていれば如何なる形状であってもよく、例えば、図２６に示す断熱材受バー７０ａのように、上方に湾曲したＪ字状に形成されてもよく、図２７に示す断熱材受バー７０ｂのように、下方に屈曲した逆Ｌ字状に形成されてもよく、図２８に示す断熱材受バー７０ｃのように、上方に屈曲したＬ字状に形成されてもよく、図２９に示す断熱材受バー７０ｄのように、基部が山形に湾曲して係止部がバー部２１に向けて折り返された変形Ｗ字状に形成されてもよい。なお、図２６〜図２９において、（ａ）は、断熱材受バーの側面図、（ｂ）は、断熱材受バーの平面図をそれぞれ示している。
【００８５】
［第６実施形態］
次に、第６の実施形態に係る床下用断熱材取付具について説明する。第６の実施形態は、基本的に第５の実施形態と同様であり、ロック端の形状とのみ第５の実施形態と相違する。このため、以下では、第５の実施形態と相違する点のみ説明し、第５の実施形態と同じ点の説明を省略する。
【００８６】
図３０は、第６の実施形態に係る断熱材受バーを示した図であり、図３０（ａ）は、断熱材受バーの斜視図、図３０（ｂ）は、断熱材受バーの側面図、図３０（ｃ）は、断熱材受バーの平面図を示している。
【００８７】
図３０に示すように、断熱材受バー８０のロック端８１は、バー部２１の載置上面２１ａから延びるように一方端面２１ｂから突出されており、バー部２１より幅方向に広がるハンマー状に形成されている。このロック端８１は、逆Ｊ字状に湾曲して形成されており、バー部２１に連接される基部８１ａと、基部８１ａの先端に連接される係止部８１ｂと、により構成される。
【００８８】
基部８１ａは、バー部２１の延在方向に延びる平板状に形成されており、第一スリット部分６１ａに挿入されるとともに、第二スリット部分６１ｂに嵌め込まれて第二スリット部分６１ｂの底面に載置される部位である。基部８１ａの幅ｐは、バー部２１の載置上面の幅と略同じ寸法となっている。また、基部８１ａの幅ｐは、第二スリット部分６１ｂの幅ｌ（図１８参照））よりも僅かに狭い寸法となっており、基部８１ａの長さｑは、ステップ金具６０の板厚と同じ長さ、又は、ステップ金具６０の板厚よりも僅かに長い寸法となっている。
【００８９】
係止部８１ｂは、基部８１ａの先端からバー部２１の延在方向に略垂直な方向に延びて逆Ｊ字状に湾曲しており、第一スリット部分６１ａに貫通されるとともに、基部８１ａが第二スリット部分６１ｂに嵌め込まれた際に、ステップ金具６０の内側に係止される部位である。係止部８１ｂの幅ｒは、バー部２１の載置上面の幅及び基部８１ａの幅ｐよりも広い寸法となっており、バー部２１に対してハンマー状に広がっている。また、係止部８１ｂの幅ｒは、第一スリット部分６１ａの幅ｋよりも狭く、第二スリット部分６１ｂの幅ｌよりも広い寸法となっている。
【００９０】
次に、図３１を参照して、ステップ金具６０と断熱材受バー８０の嵌合構造について説明する。
【００９１】
図３１は、ステップ金具と断熱材受バーとの嵌合構造を示す斜視図である。図３１に示すように、ロック端８１の係止部８１ｂは、ステップ金具６０の第一スリット部分６１ａから貫通されており、ロック端８１の基部８１ａは、ステップ金具６０の第二スリット部分６１ｂに嵌め込まれている。これにより、係止部８１ｂは、第二スリット部分６１ｂの両側面においてステップ金具６０の内側に係止されて、断熱材受バー８０がステップ金具６０に嵌合する。
【００９２】
そして、ロック端８１の基部８１ａが第二スリット部分６１ｂの底面に載置されるとともに、バー部２１の自重により、バー部２１の一方端面２１ｂが第二スリット部分６１ｂの下方においてステップ金具６０の外側に押し当てられた状態となる。このとき、バー部２１の載置上面２１ａと一方端面２１ｂとのなす角αが鈍角であるため、バー部２１の載置上面２１ａが上方に向けて傾斜するように、断熱材受バー８０がステップ金具６０に支持された状態となる。
【００９３】
このように、第６の実施形態によれば、ロック端８１の基部８１ａを切り欠いて形成することなく、ロック端８１の係止部８１ｂをバー部２１の載置上面２１ａの幅よりも広く広げることで、断熱材受バー８０を適切にステップ金具６０に嵌合させることができる。
【００９４】
なお、断熱材受バー８０のロック端は、第二スリット部分６１ｂよりも幅の狭い基部と、第一スリット部分６１ａよりも幅が狭く第二スリット部分６１ｂよりも幅の広い係止部とを備え、かつ、係止部の幅をバー部２１の載置上面２１ａの幅よりも広くすれば、如何なる形状であってもよく、例えば、図３２に示す断熱材受バー８０ａのように、上方に湾曲したＪ字状に形成されてもよく、図３３に示す断熱材受バー８０ｂのように、下方に屈曲した逆Ｌ字状に形成されてもよく、図３４に示す断熱材受バー８０ｃのように、上方に屈曲したＬ字状に形成されてもよく、図３５に示す断熱材受バー８０ｄのように、基部が山形に湾曲して係止部がバー部２１に向けて折り返された変形Ｗ字状に形成されてもよい。なお、図３２〜図３５において、（ａ）は、断熱材受バーの側面図、（ｂ）は、断熱材受バーの平面図をそれぞれ示している。
【００９５】
以上、本発明の好適な実施形態について説明したが、本発明は上記実施形態に限定されるものではなく、種々の変形が可能である。例えば、スリット、膨出部、折り返し部、補強リブ、ロック端の基部、ロック端の係止部などの数、配置、形状などは、適宜変形が可能である。
【符号の説明】
【００９６】
１…床下用断熱材取付具、２…基礎、３…大引、４…透湿気密フィルム、５…床板、６…断熱材、１０，１０ａ…ステップ金具（固定部材）、１１…上壁部、１２…側壁部、１３…爪部、１４…膨出部、１５…スリット、２０…断熱材受バー（断熱材受部材）、２１…バー部（断熱材受部）、２１ａ…載置上面、２１ｂ…一方端面、２２…ロック端、２２ａ…基部、２２ｂ…係止部、３０…断熱材受バー（断熱材受部材）、３２…ロック端、３２ａ…基部、３２ｂ…係止部、４０，４０ａ…ステップ金具（固定部材）、４１…折り返し部、５０，５０ａ，５０ｂ…ステップ金具（固定部材）、５１…補強リブ、６０，６０ａ，６０ｂ，６０ｃ…ステップ金具（固定部材）、６１…スリット、６１ａ…第一スリット部分、６１ｂ…第二スリット部分、７０，７０ａ，７０ｂ，７０ｃ，７０ｄ…断熱材受バー（断熱材受部材）、７１…ロック端、７１ａ…基部、７１ｂ…係止部、８０，８０ａ，８０ｂ，８０ｃ，８０ｄ…断熱材受バー（断熱材受部材）、８１…ロック端、８１ａ…基部、８１ｂ…係止部。
【図１】
0005391017.tif 000002
【図２】
0005391017.tif 000003
【図３】
0005391017.tif 000004
【図４】
0005391017.tif 000005
【図５】
0005391017.tif 000006
【図６】
0005391017.tif 000007
【図７】
0005391017.tif 000008
【図８】
0005391017.tif 000009
【図９】
0005391017.tif 000010
【図１０】
0005391017.tif 000011
【図１１】
0005391017.tif 000012
【図１２】
0005391017.tif 000013
【図１３】
0005391017.tif 000014
【図１４】
0005391017.tif 000015
【図１５】
0005391017.tif 000016
【図１６】
0005391017.tif 000017
【図１７】
0005391017.tif 000018
【図１８】
0005391017.tif 000019
【図１９】
0005391017.tif 000020
【図２０】
0005391017.tif 000021
【図２１】
0005391017.tif 000022
【図２２】
0005391017.tif 000023
【図２３】
0005391017.tif 000024
【図２４】
0005391017.tif 000025
【図２５】
0005391017.tif 000026
【図２６】
0005391017.tif 000027
【図２７】
0005391017.tif 000028
【図２８】
0005391017.tif 000029
【図２９】
0005391017.tif 000030
【図３０】
0005391017.tif 000031
【図３１】
0005391017.tif 000032
【図３２】
0005391017.tif 000033
【図３３】
0005391017.tif 000034
【図３４】
0005391017.tif 000035
【図３５】
0005391017.tif 000036